(57)【特許請求の範囲】
【請求項１】
閉鎖状態から開放動作可能な開閉体と、該開閉体の外側で水圧を受けて水圧感知信号を出力する水圧スイッチと、開閉体を開放動作させる開閉機と、当該シャッター装置の設置対象となる構造物における前記開閉体よりも内側に設けられ手動の開放操作が可能な手動操作部と、制御回路とを備え、非常時に自動開放信号が前記制御回路に入力されるようにしたシャッター装置であって、
前記自動開放信号には、前記構造物に設けられて該構造物内の状態を感知するセンサによる感知信号と、前記構造物の外部から信号ケーブルによって前記制御回路に入力される有電圧の外部信号とが含まれ、
前記制御回路は、前記開閉体が全閉状態か否かの判断をし、前記開閉体が全閉状態でない場合に前記手動操作部の操作に応じた通常動作の処理ルーチンを実行し、前記開閉体が全閉状態であれば、前記センサによる感知信号があり且つ前記外部信号があるか否かを判断し、
前記制御回路は、前記センサによる感知信号があり且つ前記外部信号もある場合に、前記開閉機を作動させて前記開閉体を開放動作させ、そうでない場合には、前記水圧スイッチによる開放信号の有無を判断し、
前記制御回路は、前記水圧スイッチによる開放信号がある場合に、前記開閉機を作動させて前記開閉体を開放動作させ、そうでない場合には、前記手動操作部による開放信号の有無を判断し、
前記制御回路は、前記手動操作部による開放信号がある場合に、前記開閉機を作動させて前記開閉体を開放動作させることを特徴とするシャッター装置。
【請求項２】
前記制御回路は、前記手動操作部による開放信号の有無の判断において該開放信号がない場合に、前記開閉体が全閉状態か否かの前記判断に処理を戻すことを特徴とする請求項１記載のシャッター装置。
【請求項３】
前記外部信号が、前記構造物の外部の防災管理団体から送信された信号であることを特徴とする請求項１又は２記載のシャッター装置。
【請求項４】
前記センサが、火災報知器であることを特徴とする請求項１〜３何れか１項記載のシャッター装置。
【発明の詳細な説明】
【技術分野】
【０００１】
本発明は、オーバーヘッドドアを含むシャッター装置に関し、特に閉鎖状態の開閉体を、消防隊の消火ホース等の接続による水圧スイッチの作動により開放動作させることが可能なシャッター装置に関するものである。
【背景技術】
【０００２】
従来、この種の発明には、特許文献１に記載されるように、水圧スイッチにより非常電源装置を起動させて開閉体（シャッターカーテン）を上昇させる非常開放装置と、防災信号の入力に基づいて開閉体の自重降下させる自動閉鎖装置とを具備したものがある。
このような開閉装置では、防犯上等の理由から外部に直接操作のためのスイッチ等を露出しておらず、消防隊等の放水により前記水圧スイッチが操作された場合に開閉体が開放動作するようにしている。
【０００３】
しかしながら、消防隊等の放水にはある程度の作業時間がかかるため、災害時等の緊急時に水圧スイッチの操作を要することなく、速やかに開閉体を開放させることが求められる場合がある。
なお、開閉体の内側には、建物内部の人が操作して緊急時の脱出に用いる非常開放ボタンを設置している場合もあるが、建物内の人に非常開放ボタンを操作してもらう必要があるので、建物内に人がいない場合等には操作が困難である。また、建物内に人がいる場合でも、その建物内の人が、非常開放ボタンの位置を把握していなかったり負傷していたりして、開放が遅れてしまうおそれもある。
【先行技術文献】
【特許文献】
【０００４】
【特許文献１】特開２００７−２３５９４号公報
【発明の概要】
【発明が解決しようとする課題】
【０００５】
本発明は上記従来事情に鑑みてなされたものであり、その課題とする処は、水圧スイッチへの操作がなくても開閉体を速やかに開放することができる開閉装置を提供することにある。
【課題を解決するための手段】
【０００６】
上記課題を解決するための一手段は、閉鎖状態から開放動作可能な開閉体と、該開閉体の外側で水圧を受けて水圧感知信号を出力する水圧スイッチと、開閉体を開放動作させる開閉機と、当該シャッター装置の設置対象となる構造物における前記開閉体よりも内側に設けられ手動の開放操作が可能な手動操作部と、制御回路とを備え、非常時に自動開放信号が前記制御回路に入力されるようにしたシャッター装置であって、前記自動開放信号には、前記構造物に設けられて該構造物内の状態を感知するセンサによる感知信号と、前記構造物の外部から信号ケーブルによって前記制御回路に入力される有電圧の外部信号とが含まれ、前記制御回路は、前記開閉体が全閉状態か否かの判断をし、前記開閉体が全閉状態でない場合に前記手動操作部の操作に応じた通常動作の処理ルーチンを実行し、前記開閉体が全閉状態であれば、前記センサによる感知信号があり且つ前記外部信号があるか否かを判断し、前記制御回路は、前記センサによる感知信号があり且つ前記外部信号もある場合に、前記開閉機を作動させて前記開閉体を開放動作させ、そうでない場合には、前記水圧スイッチによる開放信号の有無を判断し、前記制御回路は、前記水圧スイッチによる開放信号がある場合に、前記開閉機を作動させて前記開閉体を開放動作させ、そうでない場合には、前記手動操作部による開放信号の有無を判断し、前記制御回路は、前記手動操作部による開放信号がある場合に、前記開閉機を作動させて前記開閉体を開放動作させることを特徴とするシャッター装置。
【発明の効果】
【０００７】
本発明は、以上説明したように構成されているので、水圧スイッチへの操作がなくても開閉体を速やかに開放することができる。
【図面の簡単な説明】
【０００８】
【図１】本発明に係る開閉装置の一例を示す正面図である。
【図２】同開閉装置の制御回路を示すブロック図である。
【図３】同開閉装置の制御例を示すフローチャートである。
【発明を実施するための形態】
【０００９】
本実施の形態の第一の特徴は、閉鎖状態から開放動作可能な開閉体と、該開閉体の外側で水圧を受けて水圧感知信号を出力する水圧スイッチと、開閉体を開放動作させる開閉機と、制御回路とを備え、非常時に自動開放信号が前記制御回路に入力されるようにした開閉装置であって、前記制御回路は、前記開閉体が閉鎖状態のときに前記自動開放信号の入力があることを条件に、前記開閉機を作動させて前記開閉体を開放動作させる。
ここで、前記「閉鎖状態」には、開閉体の閉鎖方向端部が当接対象部位（床面や下枠等）に当接した全閉状態や、開閉体の下方側に、消防隊等の通過が困難な程度の隙間（例えば、通気等のための隙間）を確保して途中まで閉鎖した状態等を含む。
前記構成によれば、水圧スイッチを作動させる操作がなくても、自動開放信号を受けることにより、閉鎖状態の開閉体を自動的に開放動作させることができる。
【００１０】
第二の特徴は、速やかな開放を実現する具体的手段として、前記自動開放信号が、当該開閉装置の設置対象となる構造物に設けられて該構造物内の状態を感知するセンサによる感知信号である。
【００１１】
第三の特徴は、速やかな開放を実現する具体的手段として、前記自動開放信号が、前記構造物の外部から信号ケーブルによって前記制御回路に入力される有電圧の外部信号である。
【００１２】
第四の特徴は、誤作動等により意図せずに開閉体が開放してしまうのを防ぐために、当該開閉装置の設置対象となる構造物に設けられて該構造物内の状態を感知するセンサによる感知信号と、前記構造物の外部から信号ケーブルによって前記制御回路に入力される有電圧の外部信号とを入力するようにした開閉装置であって、前記制御回路は、前記自動開放信号として、前記センサによる感知信号があり且つ前記外部信号があることを条件に、前記開閉機を作動させて前記開閉体を開放動作させるようにした。
【００１３】
第五の特徴は、前記外部信号が、前記構造物の外部の防災管理団体から送信された信号である。
【実施例】
【００１４】
次に、上記特徴を有する好ましい実施例を、図面に基づいて詳細に説明する。
本実施例の開閉装置１は、住宅やビル、倉庫、工場、地下街、トンネル、車両の荷台等の躯体の開口部分（窓や出入口を含む）に配設され、該開口部分を開閉するシャッター装置に適用した一例について説明する。
【００１５】
この開閉装置１は、全閉状態の閉鎖方向端部を上方へ直線的にスライドさせて開放動作する開閉体１０と、該開閉体１０の横幅方向（図１によれば左右方向）の端部を囲み開閉方向へ案内するガイドレール２０と、開閉体１０をその上方側で巻き取ったり繰出したりする巻取装置３０と、開閉体１０の外側で水圧を受けて水圧感知信号を出力する水圧スイッチ５０と、開閉体１０の内側で開閉体１０の開閉動作を手動操作するのに用いられる手動操作部６０と、制御回路７０とを備え、非常時に自動開放信号（後述する外部信号やセンサ信号等）を前記制御回路７０へ入力するように構成される。
【００１６】
開閉体１０は、横長略矩形状の金属板を曲げ加工してなる所謂スラット１１ａを、上下に隣接する該スラット１１ａ，１１ａ間で回動するように複数連接することで開閉体本体１１を構成し、該開閉体本体１１の閉鎖方向端部側（図示例によれば下端側）には、下方側の障害物を可動座板１２への当接により感知する座板スイッチ１０ａを構成している。
この開閉体１０の他例としては、単数もしくは複数のパネルや、耐火性（難燃性を含む）のシート状物やネット状物を開閉方向へ配設してなる態様、あるいはスラット、パネル、パイプ、シート状物、ネット状物等を適宜に組み合わせてなる態様等とすることも可能である。
【００１７】
なお、本明細書中、開閉体１０の外側とは、閉鎖状態の開閉体１０における厚み方向の一方側であって、消防隊等が遠方から開閉体１０に近づいて来る側のことである。開閉体１０の内側とは、閉鎖状態の開閉体１０における厚み方向の他方側であって、開閉体１０の外側とは反対側のことであり、言い換えれば、開閉体１０における、火災等の災害の発生が想定される側のことである。開閉体１０が開放されたときには、消防隊等が開閉体１０の下方を通過して、開閉体１０の外側から内側へ突入していくことを想定している。
【００１８】
また、ガイドレール２０は、開閉体１０の幅方向の端部を囲む断面略コ字状の部材であり、開閉体１０によって着座される当接対象部位Ｆ（例えば、床面や地面、枠部材等）と巻取装置３０との間にわたって配設されている。
【００１９】
巻取装置３０は、略箱状の収納部３１内に、開閉体１０を巻き取ったり繰出したりする巻取軸３２と、該巻取軸３２をチェーン及びスプロケット等の動力伝達手段３３を介して駆動回転させたり制動したりする開閉機４０と、後述する制御回路７０とを具備している。
【００２０】
開閉機４０は、例えば実開平０１−１１８０８４号公報に示される周知構造の開閉機であり、巻取軸３２を回転させるための電動モータ（図示せず）と、該電動モータの回転を制動するブレーキ機構（図示せず）等を具備してなる。
この開閉機４０には、出力軸の回転量から開閉体１０の全閉位置と全開位置とを検知し、その検知信号を出力するリミットスイッチ（例えば、図示しない周知のカウンター式リミットスイッチ等）が設けられている。
【００２１】
水圧スイッチ５０は、火災時などに消防隊の消火用ホースが接続される送水口や、該送水口への送水により作動して信号を出力する水圧スイッチ本体等により構成され、当該開閉装置１が設置される構造物における開閉体１０よりも外側（屋外側）の壁面等に配設されている。
【００２２】
また、手動操作部６０は、開閉体１０を開放動作・閉鎖動作・停止するために手動操作される開放スイッチ、閉鎖スイッチ、停止スイッチ等を具備しており、当該開閉装置１が設置される構造物における開閉体１０よりも内側（屋内側）の壁面等に配設されている。
この手動操作部６０は、開放スイッチ、閉鎖スイッチ又は停止スイッチが操作された場合に、この操作されたスイッチに対応する信号（開放信号、閉鎖信号又は停止信号）を出力する。
【００２３】
制御回路７０は、マイコン回路やシーケンサー等のプログラムドロジック回路、あるいは電子回路やリレー回路等によるワイヤードロジック回路等により構成された電気回路であり、水圧スイッチ５０による水圧感知信号、手動操作部６０による手動操作信号、後述する自動開放信号等の入力に基づき、開閉機４０の動作を制御する。
この制御回路７０は、図示例によれば、巻取装置３０の収納部３１内に設けられるが、他例としては、収納部３１内外に設けた複数の電気回路からなる態様とすることが可能である。
この制御回路７０は、バッテリー電源７１を具備しており、通常時は商用電源により動作し、停電時にはバッテリー電源７１によって動作するように、自動切換え装置７２を具備している。
【００２４】
次に、上記構成の開閉体１０について、その制御上の特徴を、図３に示すフローチャートに沿って詳細に説明する。
先ず、制御回路７０は、開閉機４０のリミットスイッチからの信号により開閉体１０が全閉状態か否かを判断し（ステップ１）、全閉状態であれば次のステップ２へ処理を進め、そうでなければステップ１ａへ処理を移行する。
【００２５】
ステップ１ａでは、例えば、手動操作部６０や他のリモコン等による開放指令があった場合に開閉体１０を開放動作させる等、当該開閉装置１としての通常動作の処理ルーチンが実行され、この後、ステップ１へ処理が戻される。
【００２６】
また、ステップ２では、外部信号の有無が判断され、外部信号があった場合にはステップ３へ処理を進め、そうでなければステップ３ａへ処理を移行する。
ここで、外部信号とは、当該開閉装置１の設置対象である構造物の外部から信号ケーブルによって制御回路７０に入力される有電圧の信号である。この外部信号は、例えば、前記構造物の外部の防災管理団体（周知の防災センター等）から、自動又は手動により送信された信号とすればよい。
【００２７】
ステップ３では、上記構造物の内部の状態を感知するセンサによる感知信号（本明細書中、センサ信号と称する）の有無が判断され、外部信号があった場合にはステップ４へ処理を進め、そうでなければステップ３ａへ処理を移行する。
ここで、前記センサは、例えば、火災の発生を感知してその感知信号を発する火災感知器（煙感知器や熱感知器等を含む）とすればよい。このセンサ信号は、有線又は無線により制御回路７０に入力される。
【００２８】
また、ステップ３ａでは、水圧スイッチ５０による開放信号の有無が判断され、開放信号があった場合にはステップ４へ処理を進め、そうでなければステップ３ｂへ処理を移行する。
例えば、消防隊等が消防用ホースを水圧スイッチ５０の送水口に接続し送水を開始すれば、水圧スイッチ５０の水圧スイッチ本体（図示せず）による出力信号が制御回路７０に入力され、制御回路７０がステップ４へ処理を進める。
【００２９】
また、ステップ３ｂでは、手動操作部６０による開放信号の有無が判断され、開放信号があった場合にはステップ４へ処理を進め、そうでなければステップ１へ処理を戻す。
例えば、上記構造物の内部で人為的に手動操作部６０に対する開放操作が行われた場合には、該手動操作部６０による開放信号が制御回路７０に入力され、制御回路７０がステップ４へ処理を進める。
【００３０】
ステップ４では、開閉機４０を動作させることで、巻取軸３２を巻取り方向へ回転し、開閉体１０の開放動作を開始する。
この開放動作の電源は、停電等が発生していない場合には商用電源が用いられ、停電等が発生している場合には、自動切換え装置７２による電源配線の切り替えが行われて、バッテリー電源７１が用いられる。
そして、開閉体１０の開放動作は、開閉機４０のリミットスイッチにより開閉体１０の全開状態を感知した場合や、手動操作部６０による停止信号があった場合等には停止する。
【００３１】
よって、上記構成の開閉装置１によれば、例えば、消防隊等の到着が遅れたり消火ホースを接続する作業に時間がかかったりして、水圧スイッチ５０の作動がない場合でも、上述した外部信号及びセンサ信号等の自動開放信号により、閉鎖状態の開閉体１０を自動的に開放動作させることができ、ひいては、消防活動や、構造物内の人を構造物外へ避難させる避難活動等を速やかに行うことができる。
また、上記実施例によれば、上記外部信号及び上記センサ信号等の複数の信号があることを条件に開閉体１０を開放動作するようにしているため、センサの誤作動や故障、人為的なミス等に起因して開閉体１０が開放動作してしまうようなことを防ぐことができる。
【００３２】
なお、他例としては、開閉体１０の自動開放の確実性を優先させるために、制御回路７０の制御プログラム等を変更し、上記外部信号と上記センサ信号とのうちの何れか一方の信号があることを条件に開閉体１０を開放動作させる構成とすることも可能である。
さらに、他例としては、より簡素な構造とするために、上記外部信号と上記センサ信号とのうち、何れか一方の信号のみを制御回路７０に入力するようにし、この一方の信号に基づく判断により開閉体１０を開放動作させることも可能である。
【００３３】
また、上記実施例によれば、他の信号との混線を回避する好ましい態様として、上記外部信号を信号ケーブルを用いた有線接続により制御回路７０に入力したが、他例としては、上記外部信号を無線により制御回路７０へ入力する態様とすることも可能である。
【００３４】
また、上記実施例によれば、全閉状態で静止した開閉体１０を上記自動開放信号等により開放動作するようにしたが、他例としては、下端側に隙間を有する閉鎖状態で静止した開閉体１０を、上記自動開放信号等により開放動作する構成とすることも可能である。
【符号の説明】
【００３５】
１：開閉装置
１０：開閉体
４０：開閉機
５０：水圧スイッチ
６０：手動操作部
７０：制御回路
【図１】
0006567898.tif 000002
【図２】
0006567898.tif 000003
【図３】
0006567898.tif 000004